(57)【特許請求の範囲】
【請求項１】
流体圧機器のボディに開設され開口近くの内面に係止凹部を有するスイッチ取付け孔と、軸線方向に延びる円筒状のスイッチ装着部及び上記係止凹部に係脱可能な係止凸部を有するスイッチケースと、上記スイッチ装着部に固定ピンによって取り外し可能に取付けられたスイッチとを備え、
上記スイッチケースが、軸線方向の割溝と上記固定ピンを固定するための凹部とを有する先端部分の上記スイッチ装着部と、該割溝に連続しかつこれよりも幅が広い軸方向の溝と、これと対向する溝とによって、径方向に拡縮可能とされ、外面に上記係止凸部が形成された、基端部分の半円孤状の一対の取付け片とを備え、
上記スイッチ取付け孔にその大部分が挿入された上記スイッチケースが、上記係止凹部と上記係止凸部との係止によって上記スイッチ取付け孔に取付けられている、
ことを特徴とする流体圧機器におけるスイッチ取付け機構。
【請求項２】
上記一対の取付け片が、上記取付け孔の外に突出する一対のつまみを有し、上記スイッチ装着部と上記一対の取付け片とが合成樹脂によって一体に形成されている、
ことを特徴とする請求項１に記載した流体圧機器におけるスイッチ取付け機構。
【発明の詳細な説明】
【０００１】
【産業上の利用分野】
本発明は、流体圧機器におけるスイッチ取付け機構に関するものである。
【０００２】
【従来の技術】
流体圧アクチュエータ、バルブ等の流体圧機器においては、シリンダ、回転揺動体、弁体等の動作部の動作を確認するために、これらの機器のボディ外面にスイッチ取付け溝を設けて、この取付け溝に近接スイッチを取付けている。
上記公知のスイッチ取付け機構は、動作部に取付けた上記近接スイッチに信号を発生させる手段（一例として磁石）が、近接スイッチに接近した場所を移動する場合には該スイッチが作動するが、動作部の設置場所やボディのスペース等の制約によって、動作部がボディ外面から離れた場所において動作する場合には、近接スイッチが作動しないことがある。
【０００３】
【発明が解決しようとする課題】
本発明が解決しようとする課題は、流体圧機器の動作部が、該機器のボディ外面から離れた位置において動作する場合においてもスイッチを動作部に接近させて設置することができる、流体圧機器におけるスイッチ取付け機構を提供することにある。
【０００４】
【課題を解決するための手段】
上記課題を解決するため、本発明の流体圧機器におけるスイッチ取付け機構は、流体圧機器のボディに開設され開口近くの内面に係止凹部を有するスイッチ取付け孔と、軸線方向に延びる円筒状のスイッチ装着部及び上記係止凹部に係脱可能な係止凸部を有するスイッチケースと、上記スイッチ装着部に固定ピンによって取り外し可能に取付けられたスイッチとを備え、上記スイッチケースが、軸線方向の割溝と上記固定ピンを固定するための凹部とを有する先端部分の上記スイッチ装着部と、該割溝に連続しかつこれよりも幅が広い軸方向の溝と、これと対向する溝とによって、径方向に拡縮可能とされ、外面に上記係止凸部が形成された、基端部分の半円孤状の一対の取付け片とを備え、上記スイッチ取付け孔にその大部分が挿入された上記スイッチケースが、上記係止凹部と上記係止凸部との係止によって上記スイッチ取付け孔に取付けられていることを特徴としている。
【０００５】
また、同様の課題を解決するため、上記一対の取付け片が、上記取付け孔の外に突出する一対のつまみを有し、上記スイッチ装着部と上記一対の取付け片とが合成樹脂によって一体に形成されていることを特徴としている。
【０００６】
【作用及び発明の効果】
流体圧機器のボディのスイッチ取付け孔は、該流体圧機器における動作部の設置場所やボディのスペースを考慮しながら、上記動作部の動作確認に必要な位置に可及的に接近する場所に開設される。
スイッチ装着部にスイッチを取付け、このスイッチケースを上記スイッチ取付け孔に挿入してこれらの係止部を係止させると、スイッチ取付け孔にスイッチを取付けることができる。したがって、流体圧機器の動作部がボディの外面から離れた位置において動作する場合でも、該動作部の動作確認に必要な位置に接近させてスイッチを取付けることができる。
スイッチ取付け孔とスイッチケースの係止部の係止を解除して、スイッチケースをスイッチ取付け孔から抜き出し、スイッチ装着部からスイッチを取出すことによって、スイッチを点検、交換することができる。
したがって、スイッチ取付け孔にスイッチを取付けたものでありながら、メンテナンスが容易である。
【０００７】
上記スイッチ取付け機構は、スイッチケースにスイッチ装着部を設けたので、市販のスイッチをそのまま使用することができる。
また、スイッチの外形が異なる場合は、それに応じたスイッチケースを使用することによって、同じスイッチ取付け孔に取付けることができる。
【０００８】
【実施例】
図は本発明の実施例を示し、流体圧機器のボディ１に開設されたスイッチ取付け孔２は、開口近くの内面に係止凹部（係止部）３が形成されている。このスイッチ取付け孔２は、上記流体圧機器における動作部（図示省略）が動作する場所やボディ１のスペース等を考慮に入れて、スイッチ４が上記動作部の動作確認に必要な位置に可及的に接近できる場所に形成される。
【０００９】
スイッチ取付け孔２に係脱可能に挿入されるスイッチケース５は、円筒状をなし、先端部分のスイッチ４を取付けるためのスイッチ装着部６と、基端部分の取付け片７，７とを備え、合成樹脂によって一体に形成されている。
上記スイッチ装着部６は、スイッチ４が挿入可能な径と、軸線方向の割溝８とを有し、割溝８の先端に後記する固定ピンを固定するための凹部９，９が形成されている。上記取付け片７，７は半円弧状に形成され、割溝８に連続しかつこれよりも幅が広い軸方向の溝１０と、これと対向する溝１１とによって、径方向に拡縮可能とされ、外面に、上記係止凹部３に係止する係止凸部（係止部）１２，１２と、取付け孔２の外に突出するつまみ１３，１３が、それぞれ形成されており、係止凸部１２，１２は、スイッチ装着部６側に向けて縮径するテーパとされている。
【００１０】
上記スイッチ４は、上面に割溝８の両縁に係止する肩部４ａ，４ａが、先端にピン孔１５がそれぞれ形成されている。
スイッチ４は、流体圧機器の動作部に取付けられた磁石等の信号を発生させる手段（いずれも図示省略）の接近によって信号を出力する、磁気形近接センサまたは高周波発信形近接センサとして構成されており、スイッチ４から出力される信号は、取付け孔２から外部に取り出されるリード線１６によって所望の箇所に伝達される。しかしながら、スイッチ４は、上記近接センサに限定されるものではない。
スイッチ４を固定するための固定ピン１７は、先端１７ａをピン孔１５に嵌入し、頭部を凹部９，９のいずれかに挿入することによって、スイッチ４をケース５に固定するもので、頭部の外面は、スイッチケース５の外面とほぼ等しい曲面にされている。
【００１１】
上記実施例は、スイッチ４を、取付け片７，７の間を通してスイッチ装着部６に挿入して肩部４ａ，４ａを割溝８の両縁に係合させると、スイッチ装着部６に取付けられ、凹部９，９のいずれかに固定ピン１７を挿入してその先端１７ａをピン孔１５に嵌入すると、スイッチ４がスイッチケース５に固定される（図３参照）。
この場合に、固定ピン１７を固定する凹部９の位置を変えると、スイッチ４の感度位置を調整することができる。
スイッチ４が組み付けられたスイッチケース５をスイッチ取付け孔２に挿入して、取付け片７，７の係止凸部１２，１２を係止凹部３に係止させると、スイッチケース５がスイッチ取付け孔２に取付けられる。この場合、取付け片７，７は溝１０と１１によって径方向に拡縮するので、スイッチケース５のスイッチ取付け孔２への着脱は容易である。
【００１２】
メンテナンスのためにスイッチ４を取り外す場合は、つまみ１３，１３により取付け片７，７を縮径させて、係止凸部１２，１２と係止凹部３の係止を解除すると、スイッチケース５をスイッチ取付け孔２から抜き出すことができ、固定ピン１７を外すとスイッチ４をスイッチケース５から取り外すことができる。
スイッチ４の点検または交換後は、上述の操作と同様の操作によって、スイッチ４をスイッチ取付け孔２に取付けることができる。
【図面の簡単な説明】
【図１】ボディに取付けた状態の断面図である。
【図２】実施例の分解斜視図である。
【図３】スイッチケースにスイッチを組み付けた斜視図である。
【符号の説明】
１    ボディ
２    スイッチ取付け孔
３    係止凹部
４    スイッチ
５    スイッチケース
６    スイッチ装着部
７    取付け片
１０，１１  溝
１２  係止凸部
１７  固定ピン
【図１】
0003778585.tif 000002
【図２】
0003778585.tif 000003
【図３】
0003778585.tif 000004